(57)【要約】【課題】建物の開口部を大きくすることなく多くの天空光を屋内に取り込むことができ、且つ、反射部材に太陽光が直接入射した場合であっても危険が生じることのない採光装置を提供すること。【解決手段】この採光装置１は、建物外壁ＷＬに形成された開口部よりも屋外側に配置され、屋外の光を当該開口部に向けて反射する反射部材１００を有している。  反射部材１００を側面視した場合において、反射部材１００の反射面１１０は、その中央部が屋外側に向けて後退するような凹形状の曲線を成しており、且つ、鉛直下方に向けて入射する平行光を反射した際における反射光が焦点を結ばない形状に形成されている。【選択図】図３
2014110108.tif 000002
【特許請求の範囲】
【請求項１】
屋外の光を、建物外壁に形成された開口部を通じて屋内に取り込むための採光装置であって、
前記開口部よりも屋外側に配置され、屋外の光を前記開口部に向けて反射する反射部材を有しており、
前記反射部材を側面視した場合において、前記反射部材の反射面は、
その中央部が屋外側に向けて後退するような凹形状の曲線を成し、且つ、
鉛直下方に向けて入射する平行光を反射した際における反射光が焦点を結ばない形状に形成されていることを特徴とする採光装置。
【請求項２】
前記反射部材は、
鉛直下方に向けて入射する平行光を反射した際において、前記反射面のうち上端部を含む上部領域で反射された反射光が、前記開口部を通じて全て屋内に直接入射するように配置されていることを特徴とする、請求項１に記載の採光装置。
【請求項３】
前記反射部材は、
鉛直下方に向けて入射する平行光を反射した際において、全ての反射光が前記開口部を通じて屋内に直接入射するように配置されていることを特徴とする、請求項２に記載の採光装置。
【発明の詳細な説明】
【技術分野】
【０００１】
本発明は、屋外の光を、建物外壁に形成された開口部を通じて屋内に取り込むための採光装置に関する。
【背景技術】
【０００２】
従来、屋外の光（太陽光）を屋内に取り込むための採光装置を建物の開口部（例えば、窓が装着された部分）の近傍に取り付けることにより、屋内の明るさを確保することが行われている。例えば下記特許文献１には、建物の開口部の外側に反射部材を配置し、当該反射部材に入射した太陽光を屋内に向けて反射する構成の採光装置が記載されている。このような構成の採光装置は、反射部材を用いることにより、建物の開口部に太陽光が直接入射する場合と比較してより多くの光を屋内に取り込むことができる。
【０００３】
また、下記特許文献２には、反射部材の角度を時間とともに変化させることにより、太陽の位置に拘わらず常に光を屋内に取り込むことを可能とした採光装置が記載されている。
【０００４】
ところで、住宅密集地においては建物間の距離が短く、建物の下層階にまでは太陽光が（直接には）届きにくい。このように太陽光が届きにくい場所では、昼間であっても屋内の明るさを十分に確保することができないため、採光装置を設置する必要性が特に高い。下記特許文献３には、このように太陽光が直接届きにくい場所に設置され、天空光を反射して屋内に取り込む採光装置が記載されている。天空光とは、太陽から直接（直線的に）到達するのではなく、大気中の水蒸気や塵等によって散乱された後に地表に到達する太陽光、又は、雲から反射された後に地表に到達する太陽光をいう。
【先行技術文献】
【特許文献】
【０００５】
【特許文献１】特開２００９−７６２１２号公報
【特許文献２】特開２００７−１１５４１７号公報
【特許文献３】特開２００４−２１４１８８号公報
【発明の概要】
【発明が解決しようとする課題】
【０００６】
天空光は、太陽から直接到達する光（以下、直接光とも称する）と比較して非常に弱い。このため、多くの光を取り込んで屋内の明るさを十分に確保するためには、上記特許文献３に記載された採光装置の反射部材を大型化すると共に、建物の開口部を大きくする必要があるようにも思われる。
【０００７】
しかしながら、建物の開口部を徒に大きくしてしまうと、建物の断熱性や防犯性が低下することに加え、プライバシーを確保することが困難になるという問題も生じる。このため、建物の開口部は可能な限り小さくしなければならない。
【０００８】
そこで、建物の開口部を大きくすることなく多くの天空光を取り込むための方法として、反射部材の反射面を平坦面ではなく凹形状の曲面（反射面の中央部が屋外側に向けて後退するような曲面）とし、反射光を収束させて開口部を通過させることが挙げられる。しかしながら、この場合には以下に示すような問題が生じる。
【０００９】
このような採光装置は、建物間の距離が短い等の理由により直接光が届きにくい場所、換言すれば、建物外壁に沿って鉛直下方に向かう天空光のみが入射するような場所に取り付けられることを想定している。しかしながら、太陽の位置は時間とともに変化するため、季節や時間帯によっては、直接光が反射面に入射してしまう場合ある。
【００１０】
反射面を凹状の曲面とした反射部材に直接光が入射すると、強い反射光が収束しながら屋内に向かい、焦点を結ぶ場合がある。物体の表面上に当該焦点を結んでしまった場合には、当該物体の表面上の一点に強い反射光が集中して照射されてしまう。その結果、当該物体の温度が上昇して変形等が生じ、危険な状況となる恐れがある。
【００１１】
尚、ここでいう「焦点」とは、３次元空間において点として存在するような焦点のみを意味するのではなく、側面視（建物外壁に沿って側方から見た場合の側面視）において点となるような焦点を含む。この場合の焦点は、３次元空間において線状に形成される。
【００１２】
本発明はこのような課題に鑑みてなされたものであり、その目的は、建物の開口部を大きくすることなく多くの天空光を屋内に取り込むことができ、且つ、反射部材に太陽光が直接入射した場合であっても危険が生じることのない採光装置を提供することにある。
【課題を解決するための手段】
【００１３】
上記課題を解決するために、本発明に係る採光装置は、屋外の光を、建物外壁に形成された開口部を通じて屋内に取り込むための採光装置であって、前記開口部よりも屋外側に配置され、屋外の光を前記開口部に向けて反射する反射部材を有しており、前記反射部材を側面視した場合において、前記反射部材の反射面は、その中央部が屋外側に向けて後退するような凹形状の曲線を成し、且つ、鉛直下方に向けて入射する平行光を反射した際における反射光が焦点を結ばない形状に形成されていることを特徴としている。
【００１４】
本発明では、建物外壁に形成された開口部よりも屋外側に配置され、屋外の光を開口部に向けて反射する反射部材を有している。建物外壁に沿って鉛直下方に向かう天空光を反射部材が反射することで、開口部を通じて反射光を屋内に取り込むことができる。
【００１５】
また、反射部材を側面視した場合において、反射部材の反射面は、その中央部が屋外側に向けて後退するような凹形状の曲線を成す形状となっている。反射面をこのような形状とすることにより、反射光は収束しながら建物外壁の開口部を通過する。このため、開口部を大きくすることなく多くの光を屋内に取り込むことができる。
【００１６】
更に本発明では、反射部材を側面視した場合において、反射部材の反射面は、鉛直下方に向けて入射する平行光を反射した際における反射光が焦点を結ばない形状に形成されている。このため、太陽の位置が反射部材の鉛直上方となって、太陽光が反射部材の反射面に直接入射した場合（このとき、太陽光は鉛直下方に向けて入射する平行光となる）であっても、強い反射光が焦点に集中してしまうようなことがない。その結果、物体の表面上に焦点が結ばれてしまうことにより、物体の温度上昇等が生じてしまうこともない。
【００１７】
ここで、反射光が焦点を結ばない形状とは、例えば、建物外壁の法線方向にＸ軸を設定し、鉛直上方向にＺ軸を設定した上で、反射部材の反射面を側面視することにより見える曲線を数式で表現した際、当該数式がＺ＝ａＸ3＋ｂＸ2＋ｃＸ＋ｄの形式となるような形状である（ａは０以外の値であり、ｂ、ｃ、ｄは任意の値である。以下同様）。
【００１８】
逆に、反射光が焦点を結んでしまう形状とは、例えば、上記数式がＺ＝｛Ｆ（Ｘ）｝2の形式となるような形状である（Ｆ（Ｘ）はＸのｎ次多項式を示す）。尚、一般的な凹形状の反射部材（凹面鏡）は、反射部材を側面視することにより見える曲線が放物線となるような形状である。すなわち、当該曲線を数式で表現した場合にはＺ＝ａＸ2＋ｂＸ＋ｃの形式となる形状であり、反射光が焦点を結んでしまう形状である。
【００１９】
また本発明に係る採光装置では、前記反射部材は、鉛直下方に向けて入射する平行光を反射した際において、前記反射面のうち上端部を含む上部領域で反射された反射光が、前記開口部を通じて全て屋内に直接入射するように配置されていることも好ましい。
【００２０】
側面視において凹形状の曲線を成すような反射面は、下端部に近づくほど水平に近づくため、下端部の近傍には汚れが溜まりやすい。その結果、反射面の下端部近くで反射された反射光の強さは、上端部近くで反射された反射光の強さよりも弱くなる場合がある。
【００２１】
更に、反射面の上端部から天空（建物間に見える天空）を見上げた場合の立体角は、反射面の下端部から天空を見上げた場合の立体角よりも大きい。その結果、反射面のうち上端部近くにはより多くの天空光が入射するため、反射面の上端部近くで反射された反射光の強さは強くなる。
【００２２】
この好ましい態様では、鉛直下方に向けて入射する平行光を反射部材が反射した際において、反射面のうち上端部を含む上部領域で反射された反射光が、開口部を通じて全て屋内に直接入射する。すなわち、反射面で反射された反射光のうち比較的密度の高い部分（光が強い部分）が、建物外壁等により妨げられることなく全て屋内に入射する。その結果、効率的に屋内に光を取り込むことができる。
【００２３】
また本発明に係る採光装置では、前記反射部材は、鉛直下方に向けて入射する平行光を反射した際において、全ての反射光が前記開口部を通じて屋内に直接入射するように配置されていることも好ましい。
【００２４】
この好ましい態様では、鉛直下方に向けて入射する平行光を反射部材が反射した際において、全ての反射光が開口部を通じて屋内に直接入射する。反射部材の反射面に入射した光が、建物外壁等により妨げられることなく全て屋内に入射するため、更に効率的に屋内に光を取り込むことができる。
【発明の効果】
【００２５】
本発明によれば、建物の開口部を大きくすることなく多くの天空光を屋内に取り込むことができ、且つ、反射部材に太陽光が直接入射した場合であっても危険が生じることのない採光装置を提供することができる。
【図面の簡単な説明】
【００２６】
【図１】本発明の一実施形態に係る採光装置が建物外壁に取り付けられた状態を、上方から見た様子を示す斜視図である。
【図２】本発明の一実施形態に係る採光装置が建物外壁に取り付けられた状態を、下方から見た様子を示す斜視図である。
【図３】図１に示した採光装置により屋内に取り込まれる光の経路を模式的に示す図である。
【図４】図１に示した採光装置により屋内に取り込まれる光の経路を模式的に示す図である。
【図５】本発明の比較例に係る採光装置により屋内に取り込まれる光の経路を模式的に示す図である。
【発明を実施するための形態】
【００２７】
以下、添付図面を参照しながら本発明の実施の形態について説明する。説明の理解を容易にするため、各図面において同一の構成要素に対しては可能な限り同一の符号を付して、重複する説明は省略する。
【００２８】
図１及び図２を参照しながら、本実施形態に係る採光装置１の構成を説明する。図１は、採光装置１が建物外壁ＷＬに取り付けられた状態を、上方から見た様子を示す斜視図である。図２は、採光装置１が建物外壁ＷＬに取り付けられた状態を、下方から見た様子を示す斜視図である。図１及び図２に示したように、採光装置１は、建物外壁ＷＬの開口部に装着された引き違い窓ＷＤの下方且つ屋外側において、建物外壁ＷＬに対して固定されている。
【００２９】
引き違い窓ＷＤは、建物外壁ＷＬと平行にスライド可能な２つのサッシ枠ＷＦと、それぞれのサッシ枠に保持されたガラス板ＧＬを有している。当該ガラス板ＧＬは透明であるため、引き違い窓ＷＤを閉じた状態であっても、屋外から屋内に向けて光が透過できるようになっている。
【００３０】
図１においては、建物外壁ＷＬの法線方向をｘ方向とし、当該方向に沿ってｘ軸を設定している。また、ｘ方向を向いた場合における左方向（且つ、ｘ方向に対して垂直な方向）をｙ方向とし、当該方向に沿ってｙ軸を設定している。更に、鉛直上方に向かう方向をｚ方向とし、当該方向に沿ってｚ軸を設定している。以降の図面及び説明においても、ｘ方向、ｙ方向、ｚ方向を上記と同様に定義し、ｘ軸、ｙ軸、ｚ軸を上記と同様に設定する。
【００３１】
採光装置１は、反射部材１００と、支持部材２０１、２０２とを備えている。反射部材１００は、屋外の光を反射し、反射光を引き違い窓ＷＤを通じて屋内に入射させるための部材である。反射部材１００は、略長方形状の板状体であって、建物外壁ＷＬに近い方の端部が下方に位置し、建物外壁ＷＬから遠い方の端部（ｘ方向における端部）が上方に位置するように傾斜した状態で配置されている。反射部材１００の上面（屋内側の面）には全体に鏡面加工が施されており、反射面１１０を形成している。
【００３２】
反射部材１００は、ｙ方向に沿って見た場合に、その中央部が屋外側に向けて後退するように湾曲した形状となっている。このため、反射面１１０も同様に（凹形状に）湾曲した形状となっている。
【００３３】
また、反射面１１０は、任意の点における法線がｘ−ｚ平面に対し平行となるような形状となっている。換言すれば、任意の点における法線のｙ方向成分が０となるような形状となっている。このため、反射部材１００をｙ方向に沿って見た場合（側面視した場合）には、反射面１１０は線状となっている。具体的には、中央部が屋外側に向けて後退するような凹形状の曲線を成している。
【００３４】
支持部材２０１、２０２は、いずれも反射部材１００を下方から支持して固定するための部材であって、一端（下端）が建物外壁ＷＬに対して締結固定されており、他端（上端）が反射部材１００の下面（反射面１１０とは反対側の面）に対して締結固定されている。支持部材２０１は、反射部材のうちｘ方向を向いた場合における右側端部近傍を下方から支持しており、支持部材２０２は、反射部材のうちｘ方向を向いた場合における左側端部近傍を下方から支持している。
【００３５】
続いて、図３を参照しながら、反射面１１０で反射される光の経路について説明する。図３は、建物外壁ＷＬ及び採光装置１をｙ方向に沿って見た場合の断面において、採光装置１により屋内に取り込まれる光の経路を模式的に示す図である。尚、煩雑さを避けるために、図３においては支持部材２０１、２０２の図示を省略している。また、引き違い窓ＷＤの構造は簡略化して模式的に描いている。
【００３６】
採光装置１は、窓ＷＤに対する向かいの建物との距離が短い等の理由により、太陽からの光が直接には届きにくい場所に取り付けられている。このため、建物外壁ＷＬの屋外側（ｘ方向側）における光の殆どは、建物外壁ＷＬに沿って鉛直下方に向かうような天空光であるとみなすことができる。また、太陽の位置は時間とともに変化するため、季節や時間帯によっては、太陽からの光が建物外壁ＷＬの屋外側に直接届くような場合も生じ得る。この場合であっても、光は建物外壁ＷＬに沿って鉛直下方に向かう成分を有することとなる。
【００３７】
すなわち、いずれの場合であっても、建物外壁ＷＬの屋外側（ｘ方向側）における光の殆どは、建物外壁ＷＬに沿って鉛直下方に向かう平行光とみてよい。図３においては、このような平行光のうち反射面１１０に入射する光の経路を、６本の点線により入射光路ＩＬ１〜ＩＬ６として描いている。尚、これらの点線で示された入射光路ＩＬ１等以外にも、これらと平行な無数の入射光路が存在することは言うまでもない。
【００３８】
また、図３においては、反射面１１０により反射された反射光の経路を、６本の点線により反射光路ＲＬ１〜ＲＬ６として描いている。入射光路ＩＬ１に沿って反射面１１０に入射した光は、反射光路ＲＬ１に沿って反射される。他の入射光路（ＩＬ２〜ＩＬ６）と反射光路（ＲＬ２〜ＲＬ６）との対応関係についても同様である。尚、これらの点線で示された反射光路ＲＬ１等以外にも、これらと平行な無数の反射光路が存在することは言うまでもない。
【００３９】
反射光路ＲＬ１〜ＲＬ６は、反射面１１０から引き違い窓ＷＤを通じて屋内側に向かっている。このように、本実施形態に係る採光装置１では、建物外壁ＷＬに沿って鉛直下方に向かう天空光を反射部材１００が反射することで、引き違い窓ＷＤを通じて反射光を屋内に取り込むことが可能となっている。
【００４０】
図３に示したように、反射部材１００をｙ方向に沿って見た場合（側面視した場合）には、反射面１１０は線状となっている。具体的には、中央部が屋外側に向けて後退するような凹形状の曲線を成している。その結果、反射面１１０により反射された光は収束しながら引き違い窓ＷＤに向かい、引き違い窓ＷＤのガラス板ＧＬを通過する。このため、引き違い窓ＷＤ（建物外壁ＷＬの開口部）を大きくすることなく、多くの光を屋内に取り込むことが可能となっている。
【００４１】
反射面１１０について更に詳しく説明する。本実施形態においては、反射面１１０が側面視において成す曲線が下記の式（１）で表わされるように、反射面１１０を形成している。
【数１】
2014110108.tif 000003
【００４２】
上記式（１）は、反射面１１０の下端Ｏ（最も建物外壁ＷＬに近い点）を原点とした上で、反射面１１０が成す曲線上の点を座標（ｘ、ｚ）で示した場合におけるｘとｚとの関係を規定するものである。ｘ及びｚに代入される数値の単位はミリメートルである。
【００４３】
上記のように、図３における反射面１１０の形状はｘの三次多項式で表現される。このため、一般的な凹形状の反射部材（凹面鏡）のようにｘの二次多項式（放物線）で表現される形状とは異なり、焦点を持たない形状となっている。その結果、図３に示したように、全ての反射光路ＲＬ１〜ＲＬ６が共通して必ず通るような点（３次元空間で見た場合には点ではなく、ｙ方向に沿った直線である）は存在しない。換言すれば、反射面１１０は、鉛直下方に向けて入射する平行光を反射した際における反射光が、焦点を結ばないような形状に形成されている。
【００４４】
尚、反射光が焦点を結ばないような反射面１１０の形状は、上記のように反射面１１０の形状がｘの三次多項式で表現されるような場合に限定されるものではない。例えば、次数が３以上の奇数であるｘのｎ次多項式で表現され、且つ変曲点を持たないような形状の反射面１１０であれば、その反射光は焦点を結ばない。
【００４５】
一方、反射面１１０の形状を示す数式が例えばＺ＝｛Ｆ（Ｘ）｝2の形式となるような場合（Ｆ（Ｘ）はＸのｎ次多項式を示す）には、反射面１１０の反射光が焦点を結んでしまうこととなる。このような例の他、反射面１１０の形状が焦点を持つような数式で表現されるようなものは、本発明の実施形態には含まれない。
【００４６】
本発明の比較例に係る採光装置１ａを図５に示した。図５は、建物外壁ＷＬ及び採光装置１ａをｙ方向に沿って見た場合の断面において、採光装置１ａにより屋内に取り込まれる光の経路を模式的に示す図である。採光装置１ａは、反射部材１００ａ（及びその反射面１１０ａ）の形状においてのみ採光装置１と異なっており、他の形状や建物外壁ＷＬへの取り付け構造等については採光装置１と同様である。
【００４７】
図５に示したように、反射部材１００ａをｙ方向に沿って見た場合（側面視した場合）には、反射面１１０ａは線状となっている。具体的には、中央部が屋外側に向けて後退するような凹形状の曲線を成している。本比較においては、反射面１１０ａが側面視において成す曲線が下記の式（２）で表わされるように、反射面１１０ａを形成している。
【数２】
2014110108.tif 000004
【００４８】
上記式（２）は、反射面１１０ａの下端Ｏａ（最も建物外壁ＷＬに近い点）を原点とした上で、反射面１１０ａが成す曲線上の点を座標（ｘ、ｚ）で示した場合におけるｘとｚとの関係を規定するものである。ｘ及びｚに代入される数値の単位はミリメートルである。
【００４９】
上記のように、図５における反射面１１０ａの形状は、ｘの二次多項式で表現される放物線となっている。その結果、図５に示したように、全ての反射光路ＲＬ１〜ＲＬ６が共通して必ず通るような点ＦＰ（３次元空間で見た場合には点ではなく、ｙ方向に沿った直線である）が存在している。換言すれば、反射面１１０ａは、鉛直下方に向けて入射する平行光を反射した際における反射光が、点ＦＰにおいて焦点を結ぶような形状に形成されている。このため、点ＦＰに何らかの物体の表面が存在し、且つ、太陽からの光が反射面１１０ａに直接入射したような場合には、当該物体の表面上の一点（点ＦＰ）に強い反射光が集中して照射されてしまう。その結果、当該物体の温度が上昇して変形等が生じ、危険な状況となる恐れがある。
【００５０】
これに対し、本実施形態に係る採光装置１では、反射部材１００をｙ方向に沿って見た場合において、反射部材１００の反射面１１０が、鉛直下方に向けて入射する平行光を反射した際における反射光が焦点を結ばない形状に形成されている。このため、太陽光が反射面１１０に直接入射したような場合であっても、強い反射光が一点に集中してしまうことがない。その結果、物体の表面上の一点に光が集中して照射されることが無く、これにより当該物体の温度上昇等が生じてしまうこともない。
【００５１】
図３に示したように、反射部材１００で反射された光は収束しながら屋内に向かうが、引き違い窓ＷＤのガラス板ＧＬを通過する際においては拡散しながら（拡がりながら）屋内に向かっている。すなわち、反射光は、引き違い窓ＷＤよりも屋外側において収束から拡散に転じている。しかしながら、本発明の実施態様としてはこのようなものに限られず、反射光が引き違い窓ＷＤよりも屋外側において収束から拡散に転じるよう、反射部材１００を配置してもよい。
【００５２】
反射光が収束から拡散に転じる領域の位置や拡散の角度（本実施形態においては反射光路ＲＬ１と反射光路ＲＬ６との成す角度）等は、屋内において反射光を照射したい領域の位置や範囲、引き違い窓ＷＤの位置や形状等によって適宜変更することができる。
【００５３】
続いて、図４を参照しながら、反射面１１０における光の入射光路ＩＬと反射光路ＲＬとの関係について説明する。図４は図３と同様の図であって、建物外壁ＷＬ及び採光装置１をｙ方向に沿って見た場合の断面において、採光装置１により屋内に取り込まれる光の経路を模式的に示している。図４においては、反射面１１０に入射する光の経路として一つの入射光路ＩＬのみを示している。また、当該入射光路ＩＬに沿って入射した光が反射面１１０により反射されてなる反射光の経路を、反射光路ＲＬとして示している。
【００５４】
図４において、入射点ＩＰは、入射光路ＩＬと反射面１１０との交点である。角度θ１は、入射点ＩＰにおける反射面１１０の法線ＮＬと、入射光路ＩＬとのなす角度である。角度θ２は、入射点ＩＰにおける反射面１１０の法線ＮＬと、反射光路ＲＬとのなす角度である。
【００５５】
光の反射の法則により入射角と反射角は等しくなるので、角度θ１の大きさと角度θ２の大きさとは等しい。また、入射光路ＩＬ、反射光路ＲＬ、及び法線ＮＬは、全て同一平面上（ｘ−ｚ平面上）にある。
【００５６】
図４に示したように、反射光路ＲＬは、建物外壁ＷＬやサッシ枠ＷＦに遮られることなく、ガラス板ＧＬを透過して屋内に到達する経路となっている。換言すれば、ガラス板ＧＬのうち屋内側かつ上端の点を点ＵＰとし、屋内側かつ下端の点を点ＬＰとしたときに、反射光路ＲＬは点ＵＰと点ＬＰとの間を通過して屋内に向かっている。
【００５７】
本実施形態においては、反射面１１０において反射される全ての光がガラス板ＧＬを透過して屋内に到達するように、反射部材１００が配置されている。すなわち、反射面１１０のうち上端ＭＵから下端ＭＬまでのどの部分に入射点ＩＰが位置した場合であっても、当該入射点ＩＰから延びる反射光路ＲＬは、点ＵＰと点ＵＰとの間を通過して屋内に向かうこととなる。図３を参照すれば、上端ＭＵで反射された反射光の経路（反射光路ＲＬ６）、及び、下端ＭＬで反射された反射光の経路（反射光路ＲＬ１）は、いずれも点ＵＰと点ＬＰとの間を通過する。
【００５８】
このような構成により、反射面１１０に入射した光は、建物外壁ＷＬやサッシ枠ＷＦにより妨げられることなく、全て屋内に入射する。このため、採光装置１では効率的に光を取り込むことが可能となっている。
【００５９】
ところで、図３に示したような形状の反射面１１０は、下端ＭＬに近づくほど水平に近づくため、下端ＭＬの近傍には汚れが溜まりやすい。その結果、反射面１１０の下端部近くで反射された反射光（反射光路ＲＬ１に沿う反射光）の強さは、反射面１１０の上端部近くで反射された反射光（反射光路ＲＬ６に沿う反射光）の強さよりも弱くなっている場合がある。
【００６０】
更に、上端ＭＵから天空（建物間に見える天空）を見上げた場合の立体角は、下端ＭＬから天空を見上げた場合の立体角よりも大きい。その結果、反射面１１０のうち上端部近くにはより多くの天空光が入射するため、反射面の上端部近くで反射された反射光（反射光路ＲＬ６に沿う反射光）の強さは強くなっている。
【００６１】
反射面１１０に入射した光を全て屋内に入射させることが困難である場合には、反射面１１０のうち上端ＭＵを含む上部領域（例えば、上端ＭＵと下端ＭＬとの中間位置よりも上部の領域）で反射された反射光は全て屋内に入射し、それよりも下部の領域で反射された反射光の一部は建物外壁ＷＬに遮られるように、反射部材１００を配置してもよい。反射光のうち比較的密度の高い部分（光が強い部分）が全て屋内に到達するため、このような配置でも効率的に光を屋内に取り込むことができる。
【００６２】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００６３】
１，１ａ：採光装置
１００，１００ａ：反射部材
１１０，１１０ａ：反射面
２０１，２０２：支持部材
ＩＬ，ＩＬ１〜ＩＬ６：入射光路
ＩＰ：入射点
ＲＬ，ＲＬ１〜ＲＬ６：反射光路
ＷＤ：引き違い窓
ＷＦ：サッシ枠
ＧＬ：ガラス板
ＷＬ：建物外壁
【図１】
2014110108.tif 000005
【図２】
2014110108.tif 000006
【図３】
2014110108.tif 000007
【図４】
2014110108.tif 000008
【図５】
2014110108.tif 000009